(57)【特許請求の範囲】
【請求項１】
電気装置（５３）を収容する壁部材（５１）と、前記壁部材（５１）に被せられる壁部材（５５）との間に介装されるガスケット（１）であって、
導電性基板（２）を有し、前記導電性基板（２）の平面上に、前記両壁部材（５１）（５５）間に挟み込まれてシール作用をなすエンドレス状のビード部（４）と、前記ビード部（４）の内側に配置されるボア孔（５）と、前記電気装置（５３）に接触する電気装置側アース端子部（６）と、前記壁部材（５１）（５５）の何れか一方または壁部材締結用ボルトに接触する壁部材側アース端子部（７）とが設けられ、
前記電気装置側アース端子部（６）は、前記ボア孔（５）の周縁部を折り曲げることによりテーパ状または階段状に形成され、
前記ボア孔（５）の周縁部を折り曲げることによりテーパ状または階段状に形成された電気装置側アース端子部（６）が前記電気装置（５３）の金属部分に圧接することによりアース経路を形成するとともに前記電気装置側アース端子部（６）のバネ性により前記電気装置（５３）を前記壁部材（５１）に押し付け固定することを特徴とするガスケット。
【請求項２】
請求項１記載のガスケットにおいて、
導電性基板（２）の表面にゴム状弾性体製のパッキン（１０）が被着され、但しアース端子部（６）（７）の先端部（６ａ）（７ａ）は前記導電性基板（２）が表面露出していることを特徴とするガスケット。
【発明の詳細な説明】
【０００１】
【発明の属する技術分野】
本発明は、密封装置の一種であるガスケットに関するものである。
【０００２】
【従来の技術】
図１６は、電磁弁装置の要部断面を示しており、この電磁弁装置は以下のように構成されている。
【０００３】
すなわち先ず、底壁部に流路５２を設けた容器状の下側壁部材５１が備えられており、前記流路５２を開閉したりまたは流量を調整したりするために、この下側壁部材５１の内部に電気装置としての電磁弁５３がボルト止め等の専用の固定手段（図示せず）により据付け固定されている。また下側壁部材５１の内部に油５４が収容されている。また下側壁部材５１の上部に蓋状の上側壁部材５５が被せられて所要数のボルト５６で締付け固定されており、両壁部材５１，５５間をシールすべく両壁部材５１，５５間にソフトメタル製のガスケット５７が装着されている。このガスケット５７は電磁弁５３に対しては非接触とされている。また電磁弁５３のアースをすべく電磁弁５３の金属部分と導電性金属よりなる壁部材５１との間にアース用のリード線５８が配線されている。
【０００４】
上記従来技術において、ガスケット５７は両壁部材５１，５５間をシールする密封機能のみを果たすように構成されており、これに伴って以下の不都合を来している。
【０００５】
すなわち、電磁弁５３からリード線５８を出してアースをしているために、リード線５８の配線やハンダ付けの作業に多くの手間と時間がかかり、電磁弁５３が複数設けられる場合には各電磁弁５３からリード線５８を出さなければならないために殊更、作業が複雑かつ面倒である。また配線後、リード線５８が断線して電磁弁５３の作動に支障を来すこともある。
【０００６】
また上記従来技術においては、ボルト止め等の専用の固定手段を使用して電磁弁５３を下側壁部材５１内に据付け固定しているために、下側壁部材５１にガスケット５７および上側壁部材５５を被せて固定するのに先立って別途、電磁弁５３を下側壁部材５１内に固定しなければならない。したがって電磁弁５３の固定作業とガスケット５７および上側壁部材５５の固定作業とを別々に行なわなければならず、やはり作業が複雑かつ面倒である。
【０００７】
【発明が解決しようとする課題】
本発明は以上の点に鑑み、密封機能の他に電磁弁等の電気装置のアース機能を兼ね備え、もってアース用のリード線を不要とすることが可能なガスケットを提供することを目的とする。
【０００８】
また、電気装置を壁部材に固定する固定機能を兼ね備え、もって専用の電気装置固定手段を不要とすることが可能なガスケットを提供することを目的とする。
【０００９】
【課題を解決するための手段】
上記目的を達成するため、本発明の請求項１によるガスケットは、電気装置を収容する壁部材と、前記壁部材に被せられる壁部材との間に介装されるガスケットであって、導電性基板を有し、前記導電性基板の平面上に、前記両壁部材間に挟み込まれてシール作用をなすエンドレス状のビード部と、前記ビード部の内側に配置されるボア孔と、前記電気装置に接触する電気装置側アース端子部と、前記壁部材の何れか一方または壁部材締結用ボルトに接触する壁部材側アース端子部とが設けられ、前記電気装置側アース端子部は、前記ボア孔の周縁部を折り曲げることによりテーパ状または階段状に形成され、前記ボア孔の周縁部を折り曲げることによりテーパ状または階段状に形成された電気装置側アース端子部が前記電気装置の金属部分に圧接することによりアース経路を形成するとともに前記電気装置側アース端子部のバネ性により前記電気装置を前記壁部材に押し付け固定することを特徴とするものである。
【００１０】
また、本発明の請求項２によるガスケットは、上記した請求項１記載のガスケットにおいて、導電性基板の表面にゴム状弾性体製のパッキンが被着され、但しアース端子部の先端部は前記導電性基板が表面露出していることを特徴とするものである。
【００１９】
上記構成を備えた本発明の請求項１によるガスケットが壁部材間に装着されると、導電性基板に備えられたビード部が圧縮変形せしめられてその反発力により壁部材に密接するために、先ず十分な密封機能が奏される。ビード部は、基板の一部を折り曲げ、立体化してこれをシール部としたもので、ハーフビードやフルビード等の種類があり、このビード部がエンドレスに平面レイアウトされることにより壁部材の全周に亙る密封機能が確保される。導電性基板にはステンレス等の鋼板が適している。
【００２０】
またこの導電性基板に、壁部材内に収容される電気装置に接触する電気装置側アース端子部と、壁部材に接触する壁部材側アース端子部とが設けられているために、ガスケットが壁部材間に装着されると、電気装置側アース端子部が電気装置に接触するとともに壁部材側アース端子部が壁部材に接触し、これにより電気装置から導電性基板を経由して壁部材に至るアース経路が形成される。したがって電気装置のアース機能が確保され、従来のようにアース用のリード線を配線しなくても電気装置のアースをすることが可能となる。アース端子部はガスケットの折曲部により構成するのが好適であり、また複数個設けるのが好適である。壁部材側アース端子部が接触する壁部材には、壁部材本体の他にこの壁部材本体に組み付けられる締結用のボルトやその代替物等が含まれる。
【００２１】
また、請求項２によるガスケットのように、導電性基板の表面にパッキンが被着されていると、このパッキンによる密封作用によりガスケットの密封効果を一層向上させることが可能となる。パッキンは一般にゴム状弾性材によって薄膜状に成形されており、このようなゴム製のパッキンが導電性基板の表面に加硫接着またはコーティング等の方法により被着される。導電性基板の表面全面にゴム膜製のパッキンが被着されると、その絶縁作用によりアース経路が遮断されるために、これを回避すべく導電性基板の少なくともアース端子部を表面露出させる。
【００２２】
また、ガスケットが電気装置を保持する保持機能を備えていると、専用の電気装置固定手段を使用しなくても電気装置を壁部材に対して固定することが可能となる。この保持は、ガスケットに設けた折曲部で行なうのが好適であり、またこの折曲部は打ち抜きまたは打ち出しによって形成するのが好適である。
【００２３】
また、ガスケットの形状を変更することによって電気装置に対する保持力の大きさを調整できるようにすれば、所定の形状および重量を備えた電気装置を常に適切な大きさの保持力をもって保持することが可能となる。
【００２５】
【発明の実施の形態】
つぎに本発明の実施形態を図面にしたがって説明する。
【００２６】
第一実施形態・・・
図１は、当該実施形態に係るガスケット１を装着する電磁弁装置の要部断面を示している。またこの図１は、下側壁部材（下側ハウジングとも称する）５１に対して上側壁部材（上側ハウジングとも称する）５５をボルト（図示せず）で締付け固定する以前の状態を示している。またこの電磁弁装置は、以下のように構成されている。
【００２７】
すなわち先ず、底壁部に流路５２を設けた容器状の下側壁部材５１備えられており、前記流路５２を開閉したりまたは流量を調整したりするために、下側壁部材５１の内部に電気装置としての電磁弁５３が収容されている。また下側壁部材５１の内部に油５４が収容されている。また下側壁部材５１の上部に蓋状の上側壁部材５５が被せられて所要数のボルト（締結部品または締結手段とも称する、図示せず）で締付け固定されるようになっており、両壁部材５１，５５間をシールすべく両壁部材５１，５５間にガスケット１が装着されている。壁部材５１，５５およびボルトは導電性金属によって成形されている。
【００２８】
図２は、ガスケット１の平面を示している。図２におけるＡ−Ａ線断面が図１に示されており、Ｂ−Ｂ線拡大断面が図３に示されている。
【００２９】
ガスケット１は、以下のように構成されている。
【００３０】
すなわち先ず、平面略正方形ないし矩形状を呈する導電性基板２が備えられており、その四隅にそれぞれ平面円形のボルト挿通孔（ボルト穴とも称する）３が設けられている。これら複数のボルト挿通孔３の内側に位置して、外高のハーフビードよりなるビード部（外周シール部とも称する）４がエンドレスに設けられており、更にその内側に位置して、平面円形のボア孔５が設けられている。またこのボア孔５の周縁部が全周に亙って斜め下方に折り曲げられて、これにより環状を呈するテーパ状の電気装置側アース端子部６が設けられており、またビード部４および電気装置側アース端子部６の間に位置して、舌片状の壁部材側アース端子部７が設けられている。壁部材側アース端子部７は、導電性基板２に平面略コ字形の切込み部８を設けて舌片部９を形成し、図３に示すように、この舌片部９を下方（図上右方向）に向けて略く字形に折り曲げることにより形成されている。
【００３１】
導電性基板２は、ステンレス（ＳＵＳ）の薄板によって成形されており、図４に示すように、その表裏両面にそれぞれゴム状弾性材製のパッキン１０が被着されている。パッキン１０は導電性基板２の表面全面および裏面全面にそれそれ被着されているが、電磁弁５３のアース経路を確保するために、電気装置側アース端子部６の先端部６ａ（図１参照）および壁部材側アース端子部７の先端部７ａ（図３参照）に限ってパッキン１０が研磨等により削除されて導電性基板２が表面露出しており、これにより導電性基板２がこの表面露出部分において直接、電磁弁５３または下側壁部材５１に接触するようになっている。
【００３２】
上記構成を備えたガスケット１が上下一対の壁部材５１，５５間に装着されて両壁部材５１，５５がボルト締めされると、導電性基板２に備えられたハーフビード状のビード部４が挟圧により弾性変形してその反発力により壁部材５１，５５に密接するために、先ず十分な密封機能が奏される。ビード部４は下側壁部材５１の周壁部の上面および上側壁部材５５の周縁部の下面の間に挾まれることになる。
【００３３】
また、上記構成のガスケット１が一対の壁部材５１，５５間に装着されて両壁部材５１，５５がボルト締めされると、電気装置側アース端子部６がその先端部６ａで電磁弁５３の上面の金属部分に接触するとともに壁部材側アース端子部７がその先端部７ａで下側壁部材５１の周壁部の上面に接触するために、電磁弁５３から導電性基板２を経由して下側壁部材５１に至るアース経路が形成される。したがってこれにより電磁弁５３のアース機能が確保されることになり、従来のようにアース用のリード線を配線しなくても電磁弁５３のアースをすることができる。電気装置側アース端子部６はテーパ状に折曲げ形成されており、壁部材側アース端子部７は略く字形に折曲げ形成されており、何れも装着時にバネ性を発揮して電磁弁５３または壁部材５１に対して強く密接する。したがって良好な通電性を確保することができる。
【００３４】
また、上記構成のガスケット１においては、導電性基板２の表裏両面にそれぞれゴム状弾性材製のパッキン１０が被着されているために、このパッキン１０による密封作用によりガスケット１の密封効果が一層高められている。したがって良好な密封性を確保することができる。また電気装置側アース端子部６の先端部６ａおよび壁部材側アース端子部７の先端部７ａに限ってパッキン１０が削除されて導電性基板２が表面露出し、導電性基板２がこの表面露出部分において直接電磁弁５３または壁部材５１に接触するために、ゴム状弾性材製のパッキン１０が被着されていてもアース経路の通電性が阻害されることがない。
【００３５】
また更に、上記構成のガスケット１においては、電気装置側アース端子部６がその先端部６ａで電磁弁５３の上面の金属部分に接触し、更にそのバネ性により電磁弁５３の上面の金属部分に圧接するために、この圧接時のバネ力により電磁弁５３を下方向に押し付ける作用を奏し、これにより電磁弁５３を下側壁部材５１に押付け固定することが可能である。したがって電磁弁５３を下側壁部材５１に固定するためのボルト止めや嵌合等の他の固定手段を省略することができ、または少なくとも、これらの他の固定手段による固定力を従来より低減させることができる。
【００３６】
電気装置側アース端子部６のバネ力の大きさないし電気装置側アース端子部６のバネ性による電磁弁５３の保持力の大きさは、この電気装置側アース端子部６の長さ、幅またはテーパの傾斜角度等の形状を変更することにより適宜調整することが可能であって、これにより所定の形状および重量を備えた電磁弁５３を常に適切な大きさのバネ力ないし保持力をもって保持することが可能となる。したがってバネ力ないし保持力が小さ過ぎて電磁弁５３が下側壁部材５１内でぐらついたり、反対にバネ力ないし保持力が大き過ぎて下側壁部材５１に対してガスケット１および上側壁部材５５を固定しにくくなったりするのを未然に防止することができる。電気装置側アース端子部６の形状の変更は、この端子部６に切欠やスリット等を設けるものであっても良い。
【００３７】
電気装置側アース端子部６および壁部材側アース端子部７の形状構成については、上記したものの他に、様々なものが考えられる。
【００３８】
図５は、その一例として、ボルト挿通孔３の周縁部に壁部材側アース端子部７を一体に設けた場合を示している。すなわち、ボルト挿通孔３の周縁部に突片状を呈する壁部材側アース端子部７が複数個等配状（図では三等配）に一体成形されており、ボルト挿通孔３に壁部材締結用のボルト（図示せず）が差し通されると、この突片状の壁部材側アース端子部７がボルトの周面に接触することによりアース経路が形成される。この案は、ボルト挿通孔３を変形穴状に形成したものと表現することもできる。
【００３９】
第二実施形態・・・
図６は、当該実施形態に係るガスケット１を装着する電磁弁装置の要部断面を示している。この電磁弁装置は、以下のように構成されている。
【００４０】
すなわち先ず、底壁部に流路５２を設けた容器状の下側壁部材（下側ハウジングとも称する）５１が備えられており、前記流路５２を開閉したりまたは流量を調整したりするために、下側壁部材５１の内部に電気装置としての電磁弁５３が二つ収容されている。また下側壁部材５１の内部に油５４が収容されている。また下側壁部材５１の上部に蓋状の上側壁部材（上側ハウジングとも称する）５５が被せられて所要数のボルト（締結部品または締結手段とも称する）５６で締付け固定されており、両壁部材５１，５５間をシールすべく両壁部材５１，５５間にガスケット１が装着されている。壁部材５１，５５およびボルト５６は導電性金属によって成形されている。
【００４１】
図７は、ガスケット１の平面を示している。図７におけるＣ−Ｃ線断面が図８に示されており、図８におけるＤ部拡大断面が図９に示されている。
【００４２】
ガスケット１は、以下のように構成されている。
【００４３】
すなわち先ず、平面略長方形ないし矩形状を呈する導電性基板２が備えられており、その周縁部に平面円形のボルト挿通孔（ボルト穴とも称する）３が六箇所設けられている。これら複数のボルト挿通孔３の内側に位置して、内高のハーフビードよりなるビード部（外周シール部とも称する）４がエンドレスに設けられており、更にその内側に位置して、平面円形のボア孔５が二箇所設けられている。またこのボア孔５の周縁部が略全周に亙って斜め下方に折り曲げられて、これにより平面略ｃ字形の電気装置側アース端子部６が設けられており、またボア孔５の周縁部の一部に平面略矩形の切欠部１１が設けられて、その内縁の一部に平面略直線状の壁部材側アース端子部７が設けられている。図９に拡大して示すように、電気装置側アース端子部６は先ず斜め下方に折り曲げられ、次いで斜め上方に折り曲げられ、次いで再度斜め下方に折り曲げられることにより略階段状に形成されている。また壁部材側アース端子部７は斜め上方に折り曲げられることによりテーパ状に形成されている。
【００４４】
導電性基板２は、ステンレス（ＳＵＳ）の薄板によって成形されており、図１０に示すように、その表裏両面にそれぞれゴム状弾性材製のパッキン１０が被着されている。パッキン１０は導電性基板２の表面全面および裏面全面にそれそれ被着されているが、電磁弁５３のアース経路を確保するために、電気装置側アース端子部６の先端部６ａ（図９参照）および壁部材側アース端子部７の先端部７ａ（図９参照）に限ってパッキン１０が研磨等により削除されて導電性基板２が表面露出しており、これにより導電性基板２がこの表面露出部分において直接、電磁弁５３または上側壁部材５５に接触するようになっている。
【００４５】
上記構成を備えたガスケット１が上下一対の壁部材５１，５５間に装着されて両壁部材５１，５５がボルト締めされると、導電性基板２に備えられたハーフビード状のビード部４が挟圧により弾性変形してその反発力により壁部材５１，５５に密接するために、先ず十分な密封機能が奏される。ビード部４は下側壁部材５１の周壁部の上面および上側壁部材５５の周縁部の下面の間に挾まれることになる。
【００４６】
また、上記構成のガスケット１が一対の壁部材５１，５５間に装着されて両壁部材５１，５５がボルト締めされると、電気装置側アース端子部６がその先端部６ａで電磁弁５３の上面の金属部分に接触するとともに壁部材側アース端子部７がその先端部７ａで上側壁部材５５の周縁部の下面に接触するために、電磁弁５３から導電性基板２を経由して上側壁部材５５に至るアース経路が形成される。したがってこれにより電磁弁５３のアース機能が確保されることになり、従来のようにアース用のリード線を配線しなくても電磁弁５３のアースをすることができる。電気装置側アース端子部６は階段状に折曲げ形成されており、壁部材側アース端子部７はテーパ状に折曲げ形成されており、何れも装着時にバネ性を発揮して電磁弁５３または壁部材５５に対して強く密接する。したがって良好な通電性を確保することができる。
【００４７】
また、上記構成のガスケット１においては、導電性基板２の表裏両面にそれぞれゴム状弾性材製のパッキン１０が被着されているために、このパッキン１０による密封作用によりガスケット１の密封効果が一層高められている。したがって良好な密封性を確保することができる。また電気装置側アース端子部６の先端部６ａおよび壁部材側アース端子部７の先端部７ａに限ってパッキン１０が削除されて導電性基板２が表面露出し、導電性基板２がこの表面露出部分において直接電磁弁５３または壁部材５５に接触するために、ゴム状弾性材製のパッキン１０が被着されていてもアース経路の通電性が阻害されることがない。
【００４８】
また更に、上記構成のガスケット１においては、電気装置側アース端子部６がその先端部６ａで電磁弁５３の上面の金属部分に接触し、更にそのバネ性により電磁弁５３の上面の金属部分に圧接するために、この圧接時のバネ力により電磁弁５３を下方向に押し付ける作用を奏し、これにより電磁弁５３を下側壁部材５１に押付け固定することが可能である。したがって電磁弁５３を下側壁部材５１に固定するためのボルト止めや嵌合等の他の固定手段を省略することができ、または少なくとも、これらの他の固定手段による固定力を従来より低減させることができる。
【００４９】
電気装置側アース端子部６のバネ力の大きさないし電気装置側アース端子部６のバネ性による電磁弁５３の保持力の大きさは、この電気装置側アース端子部６の長さ、幅またはテーパの傾斜角度等の形状を変更することにより適宜調整することが可能であって、これにより所定の形状および重量を備えた電磁弁５３を常に適切な大きさのバネ力ないし保持力をもって保持することが可能となる。したがってバネ力ないし保持力が小さ過ぎて電磁弁５３が下側壁部材５１内でぐらついたり、反対にバネ力ないし保持力が大き過ぎて下側壁部材５１に対してガスケット１および上側ハウジング５５を固定しにくくなったりするのを未然に防止することができる。電気装置側アース端子部６の形状の変更は、切欠部１１の幅を変更したり、階段形状を変更したりするものであっても良い。
【００５０】
第三実施形態・・・
当該実施形態に係るガスケット１は、上記第二実施形態に係るガスケット１と同様に、図６に示した電磁弁装置に装着されるものである。
【００５１】
図１１は、当該ガスケット１の平面を示している。またこの図１１におけるＥ−Ｅ線拡大断面が図１２に示されており、Ｆ−Ｆ線拡大断面が図１３に示されており、Ｇ−Ｇ線拡大断面が図１４に示されている。
【００５２】
当該ガスケット１は、以下のように構成されている。
【００５３】
すなわち先ず、平面略長方形ないし矩形状を呈する導電性基板２が備えられており、その周縁部に平面円形のボルト挿通孔（ボルト穴とも称する）３が六箇所設けられている。これら複数のボルト挿通孔３の内側に位置して、外高のハーフビードよりなるビード部（外周シール部とも称する）４がエンドレスに設けられており、更にその内側に位置して、平面円形のボア孔５が二箇所設けられている。またこのボア孔５の周縁部が略全周に亙って斜め下方に折り曲げられて、これにより平面略ｃ字形を呈するテーパ状の電気装置側アース端子部６が設けられており、またビード部４および電気装置側アース端子部６の間に位置して、舌片状の壁部材側アース端子部７が設けられている。壁部材側アース端子部７は、導電性基板２に平面略コ字形の切込み部８を設けて舌片部９を形成し、図１４に示すように、この舌片部９を下方に向けて略く字形に折り曲げることにより形成されている。また平面略ｃ字形の電気装置側アース端子部６に所要数（図では三箇所ずつ）の切欠部１２が設けられて、この端子部６が周方向に分割されており、これによりこの端子部６が弾性変形し易くなっている。
【００５４】
導電性基板２は、ステンレス（ＳＵＳ）の薄板によって成形されており、図１５に示すように、その表裏両面にそれぞれゴム状弾性材製のパッキン１０が被着されている。パッキン１０は導電性基板２の表面全面および裏面全面にそれそれ被着されているが、電磁弁５３（図６参照）のアース経路を確保するために、電気装置側アース端子部６の先端部６ａ（図１２参照）および壁部材側アース端子部７の先端部７ａ（図１４参照）に限ってパッキン１０が研磨等により削除されて導電性基板２が表面露出しており、これにより導電性基板２がこの表面露出部分において直接、電磁弁５３または下側壁部材５１に接触するようになっている。
【００５５】
上記構成を備えたガスケット１が上下一対の壁部材５１，５５間に装着されて両壁部材５１，５５がボルト締めされると、導電性基板２に備えられたハーフビード状のビード部４が挟圧により弾性変形してその反発力により壁部材５１，５５に密接するために、先ず十分な密封機能が奏される。ビード部４は下側壁部材５１の周壁部の上面および上側壁部材５５の周縁部の下面の間に挾まれることになる。
【００５６】
また、上記構成のガスケット１が一対の壁部材５１，５５間に装着されて両壁部材５１，５５がボルト締めされると、電気装置側アース端子部６がその先端部６ａで電磁弁５３の上面の金属部分に接触するとともに壁部材側アース端子部７がその先端部７ａで下側壁部材５１の周縁部の上面に接触するために、電磁弁５３から導電性基板２を経由して下側壁部材５１に至るアース経路が形成される。したがってこれにより電磁弁５３のアース機能が確保されることになり、従来のようにアース用のリード線を配線しなくても電磁弁５３のアースをすることができる。電気装置側アース端子部６はテーパ状に折曲げ形成されており、壁部材側アース端子部７は略く字形に折曲げ形成されており、何れも装着時にバネ性を発揮して電磁弁５３または壁部材５１に対して強く密接する。したがって良好な通電性を確保することができる。
【００５７】
また、上記構成のガスケット１においては、導電性基板２の表裏両面にそれぞれゴム状弾性材製のパッキン１０が被着されているために、このパッキン１０による密封作用によりガスケット１の密封効果が一層高められている。したがって良好な密封性を確保することができる。また電気装置側アース端子部６の先端部６ａおよび壁部材側アース端子部７の先端部７ａに限ってパッキン１０が削除されて導電性基板２が表面露出し、導電性基板２がこの表面露出部分において直接電磁弁５３または壁部材５１に接触するために、ゴム状弾性材製のパッキン１０が被着されていてもアース経路の通電性が阻害されることがない。
【００５８】
また更に、上記構成のガスケット１においては、電気装置側アース端子部６がその先端部６ａで電磁弁５３の上面の金属部分に接触し、更にそのバネ性により電磁弁５３の上面の金属部分に圧接するために、この圧接時のバネ力により電磁弁５３を下方向に押し付ける作用を奏し、これにより電磁弁５３を下側壁部材５１に押付け固定することが可能である。したがって電磁弁５３を下側壁部材５１に固定するためのボルト止めや嵌合等の他の固定手段を省略することができ、または少なくとも、これらの他の固定手段による固定力を従来より低減させることができる。
【００５９】
電気装置側アース端子部６のバネ力の大きさないし電気装置側アース端子部６のバネ性による電磁弁５３の保持力の大きさは、この電気装置側アース端子部６の長さ、幅またはテーパの傾斜角度等の形状を変更することにより適宜調整することが可能であって、これにより所定の形状および重量を備えた電磁弁５３を常に適当な大きさのバネ力ないし保持力をもって保持することが可能となる。したがってバネ力ないし保持力が小さ過ぎて電磁弁５３が下側壁部材５１内でぐらついたり、反対にバネ力ないし保持力が大き過ぎて下側壁部材５１に対してガスケット１および上側壁部材５５を固定しにくくなったりするのを未然に防止することができる。電気装置側アース端子部６の形状の変更は、切欠部１２の幅を変更したり、階段形状を変更したりするものであっても良い。
【００６０】
【発明の効果】
本発明は、以下の効果を奏する。
【００６１】
すなわち先ず、上記構成を備えた本発明の請求項１によるガスケットにおいては、導電性基板に備えられたビード部が圧縮変形せしめられてその反発力により壁部材に密接するために、先ず十分な密封機能を奏し、その上で、同じく導電性基板に設けられた電気装置側アース端子部が電気装置に接触するとともに壁部材側アース端子部が壁部材に接触するために、電気装置から導電性基板を経由して壁部材に至るアース経路が形成される。したがって電気装置のアース機能が確保され、従来のようにアース用のリード線を配線しなくても電気装置のアースをすることができ、配線作業等にかかる手間暇を削減することができる。またリード線のように断線することがないために、信頼性の高いものである。
【００６２】
またこれに加えて、上記構成を備えた本発明の請求項２によるガスケットにおいては、導電性基板の表面にパッキンが被着されているために、このパッキンによる密封作用によりガスケットの密封効果を一層向上させることができる。また少なくとも導電性基板のアース端子部が表面露出しているために、導電性基板が電気装置または壁部材に確実に接触する。したがって導電性基板にパッキンが被着されていても、この導電性基板を経由するアース経路の通電性が阻害されることがなく、電気装置のアース機能を確実に確保することができる。
【００６５】
また、本発明のガスケットにおいては、ガスケットが電気装置を保持する保持機能ないし固定機能を有しているために、電気装置をハウジングに固定するためのボルト止めや嵌合等の他の固定手段を省略することができ、または少なくともこれらの他の固定手段による固定力を従来より低減させることができる。
【図面の簡単な説明】
【図１】本発明の第一実施形態に係るガスケットを装着する電磁弁装置の要部断面図
【図２】同ガスケットの平面図
【図３】図２におけるＢ−Ｂ線拡大断面図
【図４】同ガスケットの積層構造を示す説明図
【図５】壁部材側アース端子部の他の例を示すガスケットの要部平面図
【図６】本発明の第二実施形態に係るガスケットを装着する電磁弁装置の要部断面図
【図７】同ガスケットの平面図
【図８】図７におけるＣ−Ｃ線断面図
【図９】図８におけるＤ部拡大図
【図１０】同ガスケットの積層構造を示す説明図
【図１１】本発明の第三実施形態に係るガスケットの平面図
【図１２】図１１におけるＥ−Ｅ線拡大断面図
【図１３】図１１におけるＦ−Ｆ線拡大断面図
【図１４】図１１におけるＧ−Ｇ線拡大断面図
【図１５】同ガスケットの積層構造を示す説明図
【図１６】従来例に係るガスケットを装着する電磁弁装置の要部断面図
【符号の説明】
１  ガスケット
２  導電性基板
３  ボルト挿通孔
４  ビード部
５  ボア孔
６  電気装置側アース端子部
７  壁部材側アース端子部
８  切込み部
９  舌片部
１０  パッキン
１１，１２  切欠部
５１  下側壁部材（壁部材）
５２  流路
５３  電磁弁（電気装置）
５４  油
５５  上側壁部材（壁部材）
５６  ボルト
【図１】
0004203149.tif 000002
【図２】
0004203149.tif 000003
【図３】
0004203149.tif 000004
【図４】
0004203149.tif 000005
【図５】
0004203149.tif 000006
【図６】
0004203149.tif 000007
【図７】
0004203149.tif 000008
【図８】
0004203149.tif 000009
【図９】
0004203149.tif 000010
【図１０】
0004203149.tif 000011
【図１１】
0004203149.tif 000012
【図１２】
0004203149.tif 000013
【図１３】
0004203149.tif 000014
【図１４】
0004203149.tif 000015
【図１５】
0004203149.tif 000016
【図１６】
0004203149.tif 000017